(57)【要約】【課題】浴室内に１ミクロン未満のミスト噴霧を行うミストサウナ装置において、運転の詳細な状態検知および使用者に直感的に報知することを目的とする。【解決手段】浴室の温度を検知する浴室温度検知手段１０と、浴室内の湿度を検知する浴室湿度検知手段１１と、浴室の壁面温度を検知する壁面温度検知手段１２と、浴室内に１ミクロン未満の微細水滴を噴霧するミスト噴霧手段２３を備えたミストサウナ装置において、運転の詳細な状態を表示画面の背景色および点灯／点滅の組み合わせで表示する遠隔操作表示装置１３を浴室内に備え、運転の詳細な状態の判断は、浴室温度、浴室湿度、壁面温度と、温度設定を下げる操作により行うという構成にしたことにより、運転の詳細な状態を遠隔操作表示装置１３の表示画面の背景色および点灯／点滅の組み合わせで表示することで、使用者のミストサウナ浴を妨害することなく感覚的に報知できるミストサウナ装置を得られる。【選択図】図１
2013052011.tif 000002
【特許請求の範囲】
【請求項１】
浴室の温度を検知する浴室温度検知手段と、浴室の壁面温度を検知する壁面温度検知手段と、浴室内の湿度を検知する浴室湿度検知手段と、温水および水を破砕して浴室内に１ミクロン未満の微細水滴を噴霧するミスト噴霧手段を備えたミストサウナ装置において、ミストサウナ装置に運転を指令したり、温度設定および風向設定を変更したり、ミストサウナ運転の詳細な状態を表示画面の背景色および点灯／点滅の組み合わせで表示する遠隔操作表示装置を浴室内に備え、ミストサウナ運転の詳細な状態の判断は、浴室温度検知手段と、壁面温度検知手段と、浴室湿度検知手段と、温度設定を下げる操作により行うことを特徴とするミストサウナ装置。
【請求項２】
ミストサウナ運転の詳細な状態は、運転開始からミストサウナ浴可能になるまでの「ミストサウナ準備中」と、「ミストサウナ運転中」と、温度設定を下げたことにより一時的に浴室温度を下げる動作を行う「クールダウン中」としたことを特徴とする請求項１に記載のミストサウナ装置。
【請求項３】
浴室の扉の開閉を検知する浴室扉開閉検知手段と、浴室の窓の開閉を検知する浴室窓開閉検知手段とを備え、ミストサウナ運転時に少なくとも一方が開いていると検知された場合には、遠隔操作表示装置の表示画面の背景色の点滅で、使用者に報知するとともに扉および窓を閉めるよう促すことを特徴とする請求項１または２に記載のミストサウナ装置。
【発明の詳細な説明】
【技術分野】
【０００１】
本発明は、浴室内をサウナ空間とするミストサウナ装置の１ミクロン未満のミスト噴霧を行うミストサウナ運転の詳細な状態検知および可視化に関するものである。
【背景技術】
【０００２】
従来、この種のミストサウナ装置は、動作状態により保護動作を行う場合や異常を検知した場合に使用者に報知するものが知られている（例えば、特許文献１参照）。
【０００３】
以下、そのミストサウナ装置について図７を参照しながら説明する。
【０００４】
図７に示すように、装置１０１は温水供給手段１０２から温水配管１０３を介して浴室内にミスト噴霧を行うミスト噴霧手段１０４と、前記温水配管１０３からの温水を供給／遮断を行う供給弁１０５と、前記温水供給手段１０２から供給される温度を検知するミスト温度検知手段１０６と、排水を行う排水手段１０７と、前記ミスト温度検知手段１０６の変動次第で待機運転となり、待機運転である旨を使用者に報知する報知手段１０８を備えている。ミスト噴霧手段１０４と排水手段１０７は前記供給弁１０５から分岐されて接続され、それぞれ断続弁１０４ａ、１０７ａを備えている。通常のミスト運転時は、断続弁１０４ａを開、供給弁１０５を開、断続弁１０７ａを閉とすることにより浴室内へミスト噴霧を行い、前記ミスト温度検知手段１０６の変動により浴室内への噴霧を止める場合は、待機運転として、断続弁１０４ａを閉、供給弁１０５を開、断続弁１０７ａを開とすることにより排水手段１０７により装置外へ排出されるとともに、前記報知手段１０８によりミスト運転のＬＥＤ点滅とブザー鳴動により使用者に報知する。
【０００５】
また、この種の装置として、浴槽の湯張りに連動して浴室を暖房する浴室暖房装置で、浴室の窓の開閉を浴室の温度の変動により検知し、開放を検知した場合に、使用者に報知し、暖房運転の実行を停止するものもある（例えば、特許文献２参照）。
【０００６】
以下、その装置について図８および図９を参照しながら説明する。
【０００７】
図８に示すように、装置２０１は浴室の天井部に設置され、浴室の空気を循環送風する循環ファン２０２と、この循環ファン２０２で循環送風する空気を暖める加温手段２０３と、浴室の空気を屋外へ排出する換気ファン２０４と、浴室の温度を検知する浴室温度検知手段２０５から構成されている。また、装置２０１の下面には、浴室へ開口して浴室の空気を吸いこむ吸い込み口２０６と、浴室へ空気を吹き出す吹き出し口２０７と、この吹き出し口２０７から吹き出す空気の方向を調整するルーバ２０８を備えている。また、装置２０１には、これら循環ファン２０２、加温手段２０３、換気ファン２０４、ルーバ２０８を組み合わせて駆動する制御部２０９と、運転動作や設定などの指示を行ったり、異常を使用者に報知する遠隔操作装置２１０を備えている。また、装置２０１は浴槽の湯張りの信号（図示せず）を受信したら前記制御部２０９により暖房運転を実行する。
【０００８】
次に、浴室の窓の開閉の検知について説明する。浴槽の湯張りの信号により暖房運転が実行され、図９に示すように、浴室の窓が閉じている場合は線Ａのような浴室の温度変化を示す。また、浴室の窓が開いている場合は点線Ｂのような浴室の温度変化を示す。
【０００９】
浴室の窓が閉じている場合は、浴室の窓が開いている場合に対して短時間で浴室の温度が上昇することから、浴室温度の上昇率、あるいは暖房運転を開始してから所定時間経過したときの浴室温度が基準値以上なら浴室の窓は閉まっていると判断し、基準値未満なら浴室の窓が開いていると判断する。従って、湯張りの指令を受け、暖房運転を開始し、窓の開放を検知した場合に前記遠隔操作装置２１０により使用者に報知し、前記制御部２０９により暖房運転を停止させる。
【先行技術文献】
【特許文献】
【００１０】
【特許文献１】特許第４６９７０２６号公報
【特許文献２】特許第３７７３２９７号公報
【発明の概要】
【発明が解決しようとする課題】
【００１１】
このような従来のミストサウナ装置においては、異常状態の検知および使用者への報知と停止動作を行う構成となっていたので、異常状態の詳細はわかるが、通常運転時の使用者への報知については運転モードと現在の設定程度であり、目に見えないほどの微細水滴のミスト噴霧を行うミスト運転の運転状態の詳細については個人差のある使用者の体感でしかわからないという課題を有していた。
【００１２】
また、報知方法についても運転ＬＥＤの点滅やブザーによる構成であり、運転の詳細な状態を同様の報知方法で行うと、運転ＬＥＤの点滅では表示をわざわざ覗き込まないとよくわからない、ブザーではその音により雰囲気を壊してしまうなど、異常状態とは異なり、通常運転時に同様の報知方法で報知を行うと、使用者がリラックスしてミストサウナ浴を楽しむ事を妨害するという課題を有していた。
【００１３】
そこで本発明は、上記従来の課題を解決するものであり、ミスト運転の運転状態の詳細について使用者のミストサウナ浴を妨害することなく報知できるミストサウナ装置を提供することを目的とする。
【課題を解決するための手段】
【００１４】
そして、この目的を達成するために、本発明は、浴室の温度を検知する浴室温度検知手段と、浴室の壁面温度を検知する壁面温度検知手段と、浴室内の湿度を検知する浴室湿度検知手段と、温水および水を破砕温水および水を破砕して浴室内に１ミクロン未満の微細水滴を噴霧するミスト噴霧手段を備えたミストサウナ装置において、ミストサウナ装置に運転を指令したり、温度設定および風向設定を変更したり、ミストサウナ運転の詳細な状態を表示画面の背景色および点灯／点滅の組み合わせで表示する遠隔操作表示装置を浴室内に備え、ミストサウナ運転の詳細な状態の判断は、浴室温度検知手段と、壁面温度検知手段と、浴室湿度検知手段と、温度設定を下げる操作により行うとしたものであり、これにより所期の目的を達成するものである。
【発明の効果】
【００１５】
本発明によれば、浴室の温度を検知する浴室温度検知手段と、浴室の壁面温度を検知する壁面温度検知手段と、浴室内の湿度を検知する浴室湿度検知手段と、温水および水を破砕して浴室内に１ミクロン未満の微細水滴を噴霧するミスト噴霧手段を備えたミストサウナ装置において、ミストサウナ装置に運転を指令したり、温度設定および風向設定を変更したり、ミストサウナ運転の詳細な状態を表示画面の背景色および点灯／点滅の組み合わせで表示する遠隔操作表示装置を浴室内に備え、ミストサウナ運転の詳細な状態の判断は、浴室温度検知手段と、壁面温度検知手段と、浴室湿度検知手段と、温度設定を下げる操作により行うという構成にしたことにより、運転開始からミストサウナ浴可能になるまでの「ミストサウナ準備中」と、「ミストサウナ運転中」と、温度設定を下げたことにより一時的に浴室温度を下げる動作を行う「クールダウン中」といったミストサウナ運転の詳細な状態が判断でき、その状態を遠隔操作表示装置の表示画面の背景色および点灯／点滅の組み合わせで表示し、使用者に感覚的に状態を示すこととなるので、ミスト運転の運転状態の詳細について使用者のミストサウナ浴を妨害することなく報知できるという効果を得ることができる。
【００１６】
また、本発明によれば、浴室の扉の開閉を検知する浴室扉開閉検知手段と、浴室の窓の開閉を検知する浴室窓開閉検知手段とを備え、ミストサウナ運転時に少なくとも一方が開いていると検知された場合には、遠隔操作表示装置の表示画面の背景色の点滅で、使用者に報知するとともに扉および窓を閉めるよう促すという構成にしたことにより、ミスト運転中はいつでも浴室の扉または窓の開閉が確実に検知でき、浴室の扉または窓が開いていると検知した場合は、遠隔操作表示装置により使用者に報知されることとなるので、ミスト運転時に浴室の扉または窓が開いている場合は、使用者に浴室の扉および窓を閉じる作業を促すという効果を得ることができる。
【図面の簡単な説明】
【００１７】
【図１】本発明の実施の形態１のミストサウナ装置の構成図
【図２】同ミストサウナ運転の詳細な状態を示す状態遷移図
【図３】同浴室の窓が閉状態での暖房運転、ミストサウナ運転の浴室温度変化図
【図４】同ミストサウナ運転の温度設定毎の浴室温度、浴室湿度、壁面温度の目標値例を示す図
【図５】本発明の実施の形態２おけるミストサウナ装置の構成図
【図６】同ミストサウナ運転の詳細な状態を示す状態遷移図
【図７】従来のミストサウナ装置の構成図
【図８】従来の浴室の窓開閉検知手段を有する装置の構成図
【図９】浴室の窓が開状態、閉状態における暖房運転開始時からの浴室温度変化図
【発明を実施するための形態】
【００１８】
本発明の請求項１記載のミストサウナ装置は、浴室の温度を検知する浴室温度検知手段と、浴室の壁面温度を検知する壁面温度検知手段と、浴室内の湿度を検知する浴室湿度検知手段と、温水および水を破砕して浴室内に１ミクロン未満の微細水滴を噴霧するミスト噴霧手段を備えたミストサウナ装置において、ミストサウナ装置に運転を指令したり、温度設定および風向設定を変更したり、ミストサウナ運転の詳細な状態を表示画面の背景色および点灯／点滅の組み合わせで表示する遠隔操作表示装置を浴室内に備え、ミストサウナ運転の詳細な状態の判断は、浴室温度検知手段と、壁面温度検知手段と、浴室湿度検知手段と、温度設定を下げる操作により行うという構成としたものである。これにより、浴室温度検知手段と、壁面温度検知手段と、浴室湿度検知手段から得られる浴室温度、壁面温度、浴室湿度の値と、ミストサウナ運転における浴室の詳細な状態がわかり、また、温度設定を下げたときの操作により、ミストサウナ運転だが一旦冷やす動作になることがわかり、その状態を遠隔操作表示装置の表示画面の背景色および点灯／点滅の組み合わせで表示し、使用者に感覚的に状態を示すこととなるので、ミスト運転の運転状態の詳細について使用者のミストサウナ浴を妨害することなく報知できるという効果を奏する。
【００１９】
また、ミストサウナ運転の詳細な状態は、運転開始からミストサウナ浴可能になるまでの「ミストサウナ準備中」と、「ミストサウナ運転中」と、温度設定を下げたことにより一時的に浴室温度を下げる動作を行う「クールダウン中」としたという構成としたものである。これにより、例えば浴室温度と壁面温度が３０℃以上、浴室湿度が８０％以上なら浴室全体が暖まり、湿度も高く、発汗が促進される状態でミスト浴を楽しめる環境が整っていると判断でき、また、温度設定を下げる操作により、一旦目標温度を下げるための動作が行われる事になるので、操作後の到達条件が整うまではクールダウンの状態にあると判断でき、「ミストサウナ準備中」、「ミストサウナ運転中」あるいは「クールダウン中」といったミストサウナ運転の詳細な状態を遠隔操作表示装置により、例えば「ミストサウナ準備中」は表示画面の背景色を暖めているイメージの橙色として、進行中であるイメージの点滅とすることで表示し、「ミストサウナ運転中」は表示画面の背景色を暖めているイメージの橙色で、安定しているイメージのある点灯とすることで表示し、「クールダウン中」は表示画面の背景色を冷やすイメージのある青色の点灯と表示することで使用者に感覚的に状態を示すこととなるので、ミスト運転の運転状態の詳細について使用者のミストサウナ浴を妨害することなく報知できるという効果を奏する。
【００２０】
さらに、浴室の扉の開閉を検知する浴室扉開閉検知手段と、浴室の窓の開閉を検知する浴室窓開閉検知手段とを備え、ミストサウナ運転時に少なくとも一方が開いていると検知された場合には、遠隔操作表示装置の表示画面の背景色の点滅で、使用者に報知するとともに扉および窓を閉めるよう促すという構成としたものである。これにより、ミスト運転中はいつでも浴室の扉または窓の開閉が確実に検知でき、浴室の扉または窓が開いていると検知した場合は、遠隔操作表示装置により使用者に報知されることとなるので、ミストサウナ運転時に浴室の扉または窓が開いている場合は、使用者に浴室の扉および窓を閉じる作業を促すという効果を奏する。
【００２１】
以下、本発明の実施の形態について図面を参照しながら説明する。
【００２２】
（実施の形態１）
図１は、本発明の実施の形態１におけるミストサウナ装置の構成図である。図において、ミストサウナ装置は、筐体１内部に浴室２内を加温する加温手段３と、浴室２内を加湿する加湿手段４と、加温手段３により加温され、加湿手段４により加湿された空気を浴室２内に送風する加温加湿空気送風手段５と、送風の為の吸い込み口６および風向を調整するための可動ルーバー７を備えた吹き出し口８と、加温手段３や加湿手段４などを制御する制御部９と、浴室の温度を検知する浴室温度検知手段１０と、浴室内の湿度を検知する浴室湿度検知手段１１を備え、浴室２内に浴室の壁面温度を検知する壁面温度検知手段１２と、運転動作や設定などの指示を行う設定手段および使用者にミストサウナ運転の詳細な状態を表示画面の背景色および点灯／点滅の組み合わせで表示する報知手段としての遠隔操作表示装置１３を備えている。
【００２３】
加温手段３は、温水を供給する温水供給手段としての給湯機１４から温水配管１５を介して温水の循環供給を受ける第１の熱交換器１６と、第１の熱交換器１６に水または温水の供給を断続する加温用熱動弁１７が、吸い込み口６を通して浴室２内の空気を吸引し、吹き出し口８を通して空気を吹き出す循環風路１８内にあり、加温加湿空気送風手段５により通風が行われることにより、循環風路１８を通る空気を加温する。
【００２４】
加湿手段４は、水を供給する給水手段１９と、前記温水配管１５および給水配管２０を介して温水と水の熱交換を行う第２の熱交換器２１と、温水の流量を調整する流量調整手段２２と、流量調整手段２２により調整された温水および冷水を浴室内にミスト噴霧を行うミスト噴霧手段２３から構成され、前記加温加湿空気送風手段５により通風が行われることで浴室２内の加湿を行う。
【００２５】
加温加湿空気送風手段５は、クロスフローファンやシロッコファンなどである。ファンを回転させることで、吸い込み口６を通して浴室２内の空気を吸引し、加温手段３および加湿手段４で加温、加湿された空気を吹き出し口８を通して浴室２内に吹き出す方向に取り付けられており、回転数を後述の制御部９により制御することで通風量が変化することとなる。
【００２６】
可動ルーバー７は、吹き出し口８付近に浴室２内への風向を調節するための風向変更手段として備えられ、可動ルーバー７を任意の角度に移動するステッピングモータ７ａにより角度調節が可能となっている。
【００２７】
制御部９は、マイクロコンピュータなどを利用した制御基板により、後述の遠隔操作表示装置１３からの入力情報、加温加湿空気送風手段５のファン回転数情報、浴室温度検知手段１０や壁面温度検知手段１２、後述のミスト温度検知手段２９からの温度情報、浴室湿度検知手段１１からの湿度情報を入力とし、その情報に応じて加温加湿空気送風手段５、可動ルーバー７、加温用熱動弁１７、後述の開閉弁２６、流量調整手段２２などに対し、リレーの開閉やオンオフ信号、風向角度指令信号、開度指令信号、開度動作速度指令信号、回転数指令信号などを出力することで各々動作させ、加温手段３や加湿手段４などを制御することとなる。
【００２８】
浴室温度検知手段１０は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００２９】
浴室湿度検知手段１１は、感湿膜に高分子材料を用いられ抵抗変化や静電容量の変化を利用した湿度センサである。
【００３０】
壁面温度検知手段１２は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００３１】
遠隔操作表示装置１３は、浴室２内に設けられた有線方式または電波や光、その他媒体を利用した無線方式の制御部９と双方向に通信可能なリモコンで、各操作スイッチの操作により制御部９に運転モードや温度設定、風向設定などの指令を行うこととなる。遠隔操作表示装置１３には、ミストサウナ運転を指令するミストサウナ運転スイッチ１３ａ、ミスト噴霧温度の設定を行う温度設定スイッチ１３ｂ、吹き出し口８から浴室２内への送風方向を指令する風向設定スイッチ１３ｃ、運転を停止する運転停止スイッチ１３ｄなどが設けられている。前記制御部９は前記遠隔操作表示装置１３の指令に基づいて、ミストサウナ運転スイッチ１３ａが押されるとミストサウナ運転を実行し、温度設定スイッチ１３ｂが押されるとミスト噴霧温度の温度設定変更を実行し、風向設定スイッチ１３ｃが押されると風向設定変更を実行し、運転停止スイッチ１３ｄが押されると運転停止を実行するように構成されている。
【００３２】
また、遠隔操作表示装置１３は、液晶ディスプレイや有機エレクトロルミネッセンスディスプレイなどのカラー表示画面を備えており、後述するミストサウナ運転の詳細な状態に応じて、表示画面の背景色および点灯／点滅の組み合わせを変えて表示することで、使用者にミストサウナ運転の詳細な状態が報知される。
【００３３】
流量調整手段２２は、任意の角度に移動するステッピングモータが流量弁に直結されており、このステッピングモータに制御部９から開度指令信号および開度動作速度指令信号を与えることにより任意の開度に調整可能となっている。
【００３４】
ミスト噴霧手段２３は第２の熱交換器２１からミスト配管２４を介してノズル部２５へ温水および冷水の供給を断続する開閉弁２６と、ノズル部２５より噴霧された水滴が衝突する噴霧水衝突面２７と、噴霧水衝突面２７で衝突により一部微細化された水滴のうち大粒のものを振り分ける気液分離手段２８とから構成され、開閉弁２６の開閉によりミスト噴霧のＯＮ／ＯＦＦが制御される。
【００３５】
また、ミスト噴霧温度を検知するミスト温度検知手段２９が第２の熱交換器２１から開閉弁２６までの間に設けられている。
【００３６】
気液分離手段２８は、細い線形のステンレス線がランダムに絡みあった形状のものであり、噴霧水衝突面２７で衝突により一部微細化された水滴が気液分離手段２８のステンレス線を通過するときに、大粒の水滴がステンレス線に衝突付着し、同付着を繰り返すことにより付着水が大きくなり付着水の自重で下部に設けられた貯水部３０に落下する。貯水部３０は、噴霧水衝突面２７で水滴にならずに付着した水も貯水できるように噴霧水衝突面２７の下面にも設けられている。貯水部３０の最下部は排水管３１に接続されており、貯水部３０に貯められた水は、排水管３１から排水される。気液分離手段２８でステンレス線に衝突付着しなかった微細化された水滴（１ミクロン未満の微細水滴）を含んだ空気は、吹き出し口８から浴室２に吹き出される。
【００３７】
ミスト温度検知手段２９は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００３８】
次に、遠隔操作表示装置１３で挙げたミストサウナ運転スイッチ１３ａ、温度設定スイッチ１３ｂ、風向設定スイッチ１３ｃ、運転停止スイッチ１３ｄの各スイッチが押された場合、つまりミストサウナ運転と、温度設定変更と、風向設定変更と、運転停止について説明する。
【００３９】
ミストサウナ運転は、浴室温度検知手段１０、浴室湿度検知手段１１、壁面温度検知手段１２、ミスト温度検知手段２９などで検出した値に応じて、指示された状態に到達すべく流量調整手段２２を制御させ、加湿手段４の開閉弁２６を開とすることで、ミスト噴霧手段２３から水または温水の噴霧が行われ、加温加湿空気送風手段５を浴室２内に通風される加温加湿空気の通風量がサウナ運転用の通風量となるよう作動させるとともに、浴室２内の温度が指示された状態に維持されるように、加温用熱動弁１７の開閉を制御して第１の熱交換器１６に熱媒としての温水を循環供給し、この第１の熱交換器１６と加湿手段４により加温および加湿された空気が循環風路１８を通して吹き出し口８から浴室２内に吹き出すようにしている。
【００４０】
温度設定変更は、ミスト温度検知手段２９に応じて流量調整手段２２を制御部９から開度指令信号および開度動作速度指令信号を与えることにより、変更された設定温度への制御を行うようにしている。
【００４１】
風向設定変更は、制御部９から風向角度指令信号を与えることにより、変更された設定風向へ可動ルーバー７が動作するようにしている。
【００４２】
運転停止は、制御部９からリレーの開閉やオンオフ信号、風向角度指令信号、開度指令信号、開度動作速度指令信号、回転数指令信号などを機器が停止する方向に指示する（例えば風向角度指令信号は閉）ことで運転を停止するようにしている。
【００４３】
次に、ミストサウナ運転の詳細な状態について図２〜図４を参照しながら説明する。図２はミストサウナ運転の詳細な状態を４つに分類した状態遷移図である。図３はミストサウナ運転を開始してからの浴室温度の変化の例である。図４は温度設定スイッチ１３ｂにより設定される温度設定毎の浴室温度、浴室湿度、壁面温度の目標値の例である。
【００４４】
図２に示すように、ミストサウナ運転をしていない状態を示す「ミスト停止中」（状態Ｓ００１）と、ミストサウナ運転スイッチ１３ａにより運転を開始してからミストサウナ浴可能になるまでの状態を示す「ミストサウナ準備中」（状態Ｓ００２）と、後述するミストサウナ浴の条件が整っている状態を示す「ミストサウナ運転中」（状態Ｓ００３）と、ミスト噴霧温度の設定を行う温度設定スイッチ１３ｂにより温度設定を下げたことにより一時的に浴室温度を下げる動作をする状態を示す「クールダウン中」（状態Ｓ００４）の４つの状態に分類している。
【００４５】
状態Ｓ００１において、ミストサウナ運転スイッチ１３ａにより運転が開始されると、浴室２をミストサウナ空間とすべく制御部９により加温手段３や加湿手段４、加温加湿空気送風手段５の制御が開始され状態Ｓ００２に移行する。
【００４６】
状態Ｓ００２においてミストサウナ準備中の処理について図３の浴室温度の時間変化例を参照しながら説明する。まずミストサウナ運転が開始され、制御部９により加温手段３と加温加湿空気送風手段５を動作させることで浴室の温度を高める動作が行われる。（図３（１）部分）浴室温度が例えば３０℃以上、且つミスト噴霧温度が５０℃以上であれば温度分布を高め浴室全体を早く暖めるためにミスト噴霧手段２３を動作させる。ミスト噴霧手段２３を動作させると、一旦浴室温度が下降するが（図３（２）部分）、これはまだ十分暖まっていない浴室壁面や床からの輻射の影響である。よって夏場など浴室の壁面温度が高い場合は輻射の影響も少なくさらに早く暖まる。一点鎖線は図３（１）部分のまま動作させた場合の（暖房運転で浴室を暖めた場合の）浴室温度の変化例である。
【００４７】
状態Ｓ００２において、浴室温度検知手段１０と、浴室湿度検知手段１１と、壁面温度検知手段１２から検知される浴室温度、浴室湿度、壁面温度が図４に示す温度設定毎の目標値に到達するとミストサウナ浴が可能になったと判断して状態Ｓ００３に移行する。
【００４８】
状態Ｓ００３において、温度設定スイッチ１３ｂにより温度設定を下げると図４に示す浴室温度、浴室湿度、壁面温度となるように目標値が変更され状態Ｓ００４に移行する。温度設定を上げた場合も目標値が変更されるが、ミストサウナ運転は基本的に浴室を暖める運転であるので状態を分類して示す必要性がないとし、状態Ｓ００３に留まる。
【００４９】
状態Ｓ００４において、図４に示す浴室温度、浴室湿度、壁面温度が目標値に到達すると「クールダウン中」から脱したと判断して状態Ｓ００３に移行する。
【００５０】
状態Ｓ００２、状態Ｓ００３、状態Ｓ００４において、運転停止スイッチ１３ｄが押下されたり、運転時間のタイマアップなどミストサウナ運転をしていない状態となると、状態Ｓ００１移行する。
【００５１】
「ミストサウナ準備中」を示す状態Ｓ００２は、例えばの表示画面の背景色を暖めているイメージの橙色として、進行中であるイメージの点滅とすることで表示し、「ミストサウナ運転中」を示す状態Ｓ００３は、表示画面の背景色を暖めているイメージの橙色として、安定しているイメージのある点灯とすることで表示し、「クールダウン中」を示す状態Ｓ００４は、表示画面の背景色を冷やすイメージのある青色の点灯とすることで表示する。
【００５２】
以上から例えば温度設定を下げて「クールダウン中」という状態になり、変更した温度設定でのミストサウナ浴の条件が整った「ミストサウナ運転中」という状態への移行がなされた場合、従来は使用者の体感でしか判断できなかったが、ミストサウナ運転の詳細な状態判断と表示により、目視できない微細なミストサウナ運転の詳細な状態が、遠隔操作表示装置１３の表示画面の背景色と点灯／点滅により、（例の場合、青色の点灯から橙色の点灯となり）使用者は容易に把握することが可能となる。
【００５３】
このような構成によれば、浴室の温度を検知する浴室温度検知手段１０と、浴室内の湿度を検知する浴室湿度検知手段１１と、浴室の壁面温度を検知する壁面温度検知手段１２と、温水および水を破砕して浴室内に１ミクロン未満の微細水滴を噴霧するミスト噴霧手段２３を備えたミストサウナ装置において、ミストサウナ装置に運転を指令したり、温度設定および風向設定を変更したり、ミストサウナ運転の詳細な状態を表示画面の背景色および点灯／点滅の組み合わせで表示する遠隔操作表示装置１３を浴室内に備え、ミストサウナ運転の詳細な状態の判断は、浴室温度検知手段１０と、浴室湿度検知手段１１と、壁面温度検知手段１２と、温度設定を下げる操作により行うという構成にしたことにより、運転開始からミストサウナ浴可能になるまでの「ミストサウナ準備中」と、「ミストサウナ運転中」と、温度設定を下げたことにより一時的に浴室温度を下げる動作を行う「クールダウン中」といったミストサウナ運転の詳細な状態が判断でき、その状態を遠隔操作表示装置１３の表示画面の背景色および点灯／点滅の組み合わせで表示し、使用者に感覚的に状態を示すこととなるので、ミスト運転の運転状態の詳細について使用者のミストサウナ浴を妨害することなく報知できる。
【００５４】
（実施の形態２）
次に、本発明の実施の形態２のミストサウナ装置について図５、図６を参照しながら説明する。なお、上記実施の形態１の構成要素と同じ構成要素には、同一番号を付し、その詳細な説明は省略する。図５は実施の形態２におけるミストサウナ装置の構成図を示す。図５において、ミストサウナ装置３２は、実施の形態１で説明したミストサウナ装置であり、浴室の扉の開閉を検知する浴室扉開閉検知手段３３と、浴室の窓の開閉を検知する浴室窓開閉検知手段３４とを備える。
【００５５】
浴室扉開閉検知手段３３、浴室窓開閉検知手段３４はリレー接点の開閉で検知する機械式のもの、または、振動により開閉を検知するもの、またはホールＩＣと磁石の組み合わせにより開閉を検知するものである。ミストサウナ装置３２内の制御部９に浴室の扉および窓の開閉情報が入力される。図３のミストサウナ運転の浴室温度の変化例より一点鎖線で示した暖房運転の浴室温度の変化とは異なり、浴室温度の変化度合いで浴室の扉や窓の開閉を予測することは困難であるため、浴室の扉や窓の開閉は予測によらないものであることが望ましい。
【００５６】
次に、ミストサウナ運転の詳細な状態について図６を参照しながら説明する。実施の形態１の図２で説明した内容については省略する。
【００５７】
図６において、図２で説明した４つの状態に浴室の扉、浴室の窓の少なくともいずれかが開いている状態「浴室扉、窓確認要請中」（状態Ｓ００５）を加えて５つの状態に分類している。
【００５８】
ミストサウナ運転モード中（点線で囲った部分）である状態Ｓ００２、状態Ｓ００３、状態Ｓ００４において、浴室扉開閉検知手段３３、浴室窓開閉検知手段３４により浴室の扉、浴室の窓の少なくともいずれかが開いている場合は、浴室内をミストサウナ空間とすることが困難な状態と判断して状態Ｓ００５に移行する。
【００５９】
状態Ｓ００２、状態Ｓ００３、状態Ｓ００４、状態Ｓ００５において、運転停止スイッチ１３ｄが押下されたり、運転時間のタイマアップなどミストサウナ運転をしていない状態となると、状態Ｓ００１移行する。
【００６０】
「浴室扉、窓確認要請中」を示す状態Ｓ００５は、例えば遠隔操作表示装置１３の表示画面の背景色を警告、要請のイメージの赤色として、注意をひきつけるために点滅とすることで表示する。
【００６１】
このような構成によれば、浴室の扉および窓に開状態および閉状態を検知する浴室扉開閉検知手段３３、３４を備え、ミストサウナ運転時に開いていると検知された場合には、遠隔操作表示装置１３の表示画面の背景色の点滅で、使用者に報知するとともに扉および窓を閉めるよう促すという構成としたことにより、ミストサウナ運転中はいつでも浴室の扉または窓の開閉が確実に検知でき、浴室の扉または窓が開いていると検知した場合は、遠隔操作表示装置１３により使用者に報知されることとなるので、ミスト運転時に浴室の扉または窓が開いている場合は、使用者に浴室の扉および窓を閉じる作業を促すという効果を奏する。
【産業上の利用可能性】
【００６２】
本発明にかかるミストサウナ装置は、ミストサウナ運転の詳細な状態を検知でき、使用者のミストサウナ浴を妨害することなく報知できるものであるので、電気式、温水式を問わず浴室に使用されるミストサウナ装置全般に有用である。
【符号の説明】
【００６３】
１      筐体
２      浴室
３      加温手段
４      加湿手段
５      加温加湿空気送風手段
６      吸い込み口
７      可動ルーバー
７ａ    ステッピングモータ
８      吹き出し口
９      制御部
１０    浴室温度検知手段
１１    浴室湿度検知手段
１２    壁面温度検知手段
１３    遠隔操作表示装置
１３ａ  ミストサウナ運転スイッチ
１３ｂ  温度設定スイッチ
１３ｃ  風向設定スイッチ
１３ｄ  運転停止スイッチ
１４    給湯機（温水供給手段）
１５    温水配管
１６    第１の熱交換器
１７    加温用熱動弁
１８    循環風路
１９    給水手段
２０    給水配管
２１    第２の熱交換器
２２    流量調整手段
２３    ミスト噴霧手段
２４    ミスト配管
２５    ノズル部
２６    開閉弁
２７    噴霧水衝突面
２８    気液分離手段
２９    ミスト温度検知手段
３０    貯水部
３１    排水管
３２    ミストサウナ装置
３３    浴室扉開閉検知手段
３４    浴室窓開閉検知手段
【図１】
2013052011.tif 000003
【図２】
2013052011.tif 000004
【図３】
2013052011.tif 000005
【図４】
2013052011.tif 000006
【図５】
2013052011.tif 000007
【図６】
2013052011.tif 000008
【図７】
2013052011.tif 000009
【図８】
2013052011.tif 000010
【図９】
2013052011.tif 000011